(57)【要約】【課題】インキ収容管内のインキ充填量を増加させることができ、インキ収容管内のインキが蒸発することを抑止でき、ペン先保持部材内のインキ残量を視認でき、インキ色によらずペン先保持部材を共通部品とすることができる多芯筆記具用レフィルを提供する。【解決手段】各々の後端に操作体６を連結した状態で軸筒７内から取り外し可能且つ軸筒７内に挿入可能である多芯筆記具用レフィルであって、軸筒７内に収容される前の状態において、前端にボールが回転可能に抱持されたボールペンチップ２と、該ボールペンチップ２の後部が前端に固着された透明樹脂製のペン先保持部材３と、該ペン先保持部材３の後部が前端に固着され且つ内部にインキが収容された金属製のインキ収容管５と、該インキ収容管５の後端に取り付けられ且つインキ収容管５内のインキの色に着色された操作体６とからなる。【選択図】  図１
2010064365.tif 000002
【特許請求の範囲】
【請求項１】
使用時に軸筒内に複数本が収容され、各々の後端に連結した操作体を軸筒の側壁より突出させ、前記操作体を前方にスライド操作することにより軸筒の前端からペン先を出没させ、各々の後端に操作体を連結した状態で軸筒内から取り外し可能且つ軸筒内に挿入可能である多芯筆記具用レフィルであって、軸筒内に収容される前の状態において、前端にボールが回転可能に抱持されたボールペンチップと、該ボールペンチップが前端に固着された透明樹脂製のペン先保持部材と、該ペン先保持部材が前端に固着され且つ内部にインキが収容された金属製のインキ収容管と、該インキ収容管の後端に取り付けられ且つインキ収容管内のインキの色に着色された操作体とからなる多芯筆記具用レフィル。
【請求項２】
前記ボールペンチップの後部をペン先保持部材の前部の取付孔に圧入固着するとともに、金属製のペン先カバー筒をペン先保持部材の前部外面に固着し、前記ボールペンチップの後部を隠蔽してなる請求項１記載の多芯筆記具用レフィル。
【発明の詳細な説明】
【技術分野】
【０００１】
本発明は、多芯筆記具用レフィルに関する。
【背景技術】
【０００２】
従来この種の筆記具において、特許文献１には、使用時に軸筒内に複数本が収容され、各々の後端に連結した操作体を軸筒の側壁より突出させ、前記操作体を前方にスライド操作することにより軸筒の前端からペン先を出没させる多芯筆記具用レフィルであって、軸筒内に収容される前の状態において、前端にボールが回転可能に抱持されたボールペンチップと、該ボールペンチップが前端に固着され且つ内部にインキが収容されたインキ収容管と、該インキ収容管の後端に連結され且つインキ収容管内のインキの色に着色された操作体とからなることを特徴とする多芯筆記具用レフィルが記載されている。
また、特許文献１には、インキ収容管が透明または半透明の合成樹脂の押出成形体により得られることが記載されている。
また、特許文献１には、ペン先保持部材が、インキ色に着色された合成樹脂の成形体により得られることが記載されている。
【０００３】
【特許文献１】特開２００７−４５１３９号公報
【発明の開示】
【発明が解決しようとする課題】
【０００４】
ところが、前記従来の多芯筆記具用レフィルは、インキ収容管が合成樹脂製であるため、インキ収容管の側壁の肉厚を過度に薄くすることは強度面から困難であり、したがって、インキ収容管の外径を大きくせずに、インキ収容管内のインキ充填量を増加させること（即ち、筆記可能距離を増加させること）は容易ではない。その上、前記従来の多芯筆記具用レフィルは、長期の保管でインキ収容管内のインキの蒸気がインキ収容管の側壁を透過し、それにより、インキの粘度が増加し、ペン先からのインキ流出性が低下するおそれがある。
【０００５】
また、前記従来の多芯筆記具用レフィルは、インキ収容管を透明または半透明の合成樹脂から構成し、インキ収容管内のインキ残量を外部より視認可能であっても、ペン先保持部材がインキ色に着色された合成樹脂の成形体からなるため、ペン先保持部材内部のインキ残量を外部より視認することができず、完全にインキを消費したかどうか判別できない。さらに、前記従来の多芯筆記具用レフィルは、インキ色の種類の多い多芯筆記具用レフィルを製造する場合、ペン先保持部材の種類が増加し、製造コストが上昇する。
【０００６】
本発明は、前記従来の問題点を解決するものであって、インキ収容管内のインキ充填量を増加させることができるとともに、インキ収容管内のインキが蒸発することを抑止でき、しかも、ペン先保持部材内のインキ残量を視認でき、さらに、インキ色によらずペン先保持部材を共通部品とすることができる多芯筆記具用レフィルを提供しようとするものである。尚、本発明において、「前」とはペン先側を指し、「後」とはその反対側を指す。
【課題を解決するための手段】
【０００７】
[１]本願の第１の発明は、使用時に軸筒７内に複数本が収容され、各々の後端に連結した操作体６を軸筒７の側壁より突出させ、前記操作体６を前方にスライド操作することにより軸筒７の前端からペン先を出没させ、各々の後端に操作体６を連結した状態で軸筒７内から取り外し可能且つ軸筒７内に挿入可能である多芯筆記具用レフィルであって、軸筒７内に収容される前の状態において、前端にボールが回転可能に抱持されたボールペンチップ２と、該ボールペンチップ２が前端に固着された透明樹脂製のペン先保持部材３と、該ペン先保持部材３が前端に固着され且つ内部にインキが収容された金属製のインキ収容管５と、該インキ収容管５の後端に取り付けられ且つインキ収容管５内のインキの色に着色された操作体６とからなることを要件とする。
【０００８】
前記第１の発明の多芯筆記具用レフィル１は、金属製のインキ収容管５により、インキ収容管５内に収容されたインキの蒸気（即ちインキ中の溶媒の蒸気）がインキ収容管５の側壁を透過することを抑止でき、しかも、インキ収容管５の側壁の肉厚を薄くでき、インキ収容管５の外径を大きくすること無しに、インキ収容管５内の内径（即ちインキ充填量）を増加させることができる。
【０００９】
また、前記第１の発明の多芯筆記具用レフィル１は、インキ収容管５内のインキを視認することができなくても、透明樹脂製のペン先保持部材３により、ペン先保持部材３内部のインキ残量を外部より視認することができ、完全にインキを消費したかどうか判別可能であり、さらに、インキ色の種類の多い多芯筆記具用レフィルを製造する場合でも、ペン先保持部材３を共通化でき、製造コストの上昇を抑えることができる。
【００１０】
尚、前記第１の発明において、インキ色に着色された操作体６によって、インキ収容管５内のインキ色を容易に視認することができる。尚、前記第１の発明において、透明樹脂とは、半透明樹脂を含む。
【００１１】
［２］本願の第２の発明は、前記第１の発明において、前記ボールペンチップ２の後部をペン先保持部材３の前部の取付孔３１に圧入固着するとともに、金属製のペン先カバー筒４をペン先保持部材３の前部外面に固着し、前記ボールペンチップ２の後部を隠蔽してなることを要件とする。
【００１２】
前記第２の発明の多芯筆記具用レフィル１は、金属製のペン先カバー筒４をペン先保持部材３の前部外面に固着し、前記ペン先カバー筒４によって前記ボールペンチップ２の後部を隠蔽してなることにより、ボールペンチップ２の外面とペン先保持部材３の取付孔の内面との間にインキが浸入した場合でも、その浸入インキが外部より視認されず、金属製のペン先カバー筒４の後端と金属製のインキ収容管５の前端との間のみで、ペン先保持部材３の内部が視認でき、インキを完全に消費した状態（インキ残量ゼロ状態）を明確に視認できる。
【発明の効果】
【００１３】
本発明の多芯筆記具用レフィルによれば、インキ収容管内のインキ充填量を増加させることができるとともに、インキ収容管内のインキが蒸発することを抑止でき、しかも、ペン先保持部材内のインキ残量を視認でき、さらに、インキ色によらずペン先保持部材を共通部品にすることができる。
【発明を実施するための最良の形態】
【００１４】
図１乃至図５に本発明の実施の形態を示す。図１、図２、及び図５のペン先保持部材４のドット模様部分は内部のインキを示す。
【００１５】
本実施の形態の多芯筆記具用レフィル１は、主に、ボールペンチップ２と、ペン先保持部材３と、インキ収容管５と、操作体６とからなる。
【００１６】
（ボールペンチップ）
前記ボールペンチップ２は、前端に回転可能にボールが抱持される。前記ボールペンチップ２は、金属製細管の先端に内方への押圧変形によりボール受け座を形成するタイプ、または、金属製本体の先端の内面に切削加工によりボール受け座を形成するタイプのいずれであってもよい。
【００１７】
前記ボールペンチップ２の前端には、ペン先乾燥防止用の被覆樹脂２１が固着されている。前記被覆樹脂２１は、筆記使用開始時にはユーザーによって取り除かれる。
【００１８】
（ペン先保持部材）
前記ペン先保持部材３は、透明または半透明の合成樹脂（例えばポリプロピレン樹脂）の成形体により得られる。前記ペン先保持部材３の前部には軸方向に延び且つ前方に開口する取付孔３１が形成され、前記取付孔３１に前記ボールペンチップ２の後部が圧入固着される。また、前記ペン先保持部材３の前部外面にはペン先カバー筒４が圧入固着される。前記ペン先保持部材３の後部は、インキ収容管５の前端開口部に圧入固着される。前記ペン先カバー筒４の後端と前記インキ収容管５の前端との間のペン先カバー筒４の中間部において、内部のインキが視認可能となる。
【００１９】
（ペン先カバー筒）
前記ペン先カバー筒４は、金属（例えば、ステンレス鋼、真鍮）からなる。前記ペン先カバー筒４は、ボールペンチップ２外面を支持する小径部と、前記ペン先保持部材３の外面に固着され且つ取付孔３１（ボールペンチップ２後部）を隠蔽する大径部とが一体に連設される。
【００２０】
（スプリング）
また、前記ボールペンチップ２内及びペン先保持部材３内には、ボールを前方に付勢するスプリング２２が収容される。前記スプリング２２は、ストレート部２２ａとコイル部２２ｂとからなり、前記ストレート部２２ａの前端がボール後面に当接され且つ前記コイル部２２ｂの後端がペン先保持部材３の内面の係止突起に係止される。
【００２１】
（操作体）
前記インキ収容管５の後端開口部には、操作体６が取り付けられる。前記操作体６は、操作部６１と、前側突出部６２と、後側突出部６３と、嵌入部６４と、鍔部６５とを備える。前記操作部６１は、後端部に形成され且つ軸筒７の窓孔７２ａから外部に突出される。前記後側突出部６３は、前記操作部６１の反対側に設けられる。前記前側突出部６２は、前記操作部６１の反対側の後側突出部６３の前方に設けられる。前記嵌入部６４は、操作体６の前端部に形成され且つインキ収容管５の後端開口部に嵌入される。前記鍔部６５は、前記嵌入部６４の後方に形成される。また、前記鍔部６５の前面には、弾発体９の後端が係止される。尚、前記操作体６は、連結されるインキ収容管５の内部に収容されたインキの色と略同じ色に着色された合成樹脂の成形体からなる。
【００２２】
（インキ収容管）
前記インキ収容管５は、金属（例えばステンレス鋼）により得られ、両端が開口された直円筒体からなる。前記インキ収容管５の内部には、水性または油性のインキが収容され、前記インキの後端には、インキの消費に伴って前進する高粘度流体からなる追従体が充填される。
【００２３】
本実施の形態の多芯筆記具用レフィル１は、金属製のインキ収容管５により、インキ収容管５内に収容されたインキの蒸気（即ちインキ中の溶媒の蒸気）がインキ収容管５の側壁を透過することを抑止でき、しかも、インキ収容管５の側壁の肉厚を薄くでき、インキ収容管５の外径を大きくすること無しに、インキ収容管５内の内径（即ちインキ充填量）を増加させることができる。
【００２４】
また、本実施の形態の多芯筆記具用レフィル１は、インキ収容管５内のインキを視認することができなくても、透明樹脂製のペン先保持部材３により、ペン先保持部材３内部のインキ残量を外部より視認することができ（図５参照）、完全にインキを消費したかどうか判別可能であり、さらに、インキ色の種類の多い多芯筆記具用レフィルを製造する場合でも、ペン先保持部材３を共通化でき、製造コストの上昇を抑えることができる。
【００２５】
また、本実施の形態の多芯筆記具用レフィル１において、インキ色に着色された操作体６によって、インキ収容管５内のインキ色を容易に視認することができる。
【００２６】
また、本実施の形態の多芯筆記具用レフィル１は、金属製のペン先カバー筒４をペン先保持部材３の前部外面に固着し、前記ペン先カバー筒４によって前記ボールペンチップ２の後部を隠蔽してなることにより、ボールペンチップ２の外面とペン先保持部材３の取付孔３１の内面との間にインキが浸入した場合でも、その浸入インキが外部より視認されず、金属製のペン先カバー筒４の後端と金属製のインキ収容管５の前端との間のみで、ペン先保持部材３の内部が視認でき、インキを完全に消費した状態（インキ残量ゼロ状態）を明確に視認できる。
【００２７】
図２に、本実施の形態の多芯筆記具用レフィル１を多芯筆記具１１の軸筒７内に収容した状態を示す。
【００２８】
多芯筆記具１１は、軸筒７内に複数本（例えば２本）のインキ色の互いに異なる多芯筆記具用レフィル１が前後方向に移動可能に収容されている。前記各々の多芯筆記具用レフィル１は、弾発体９（具体的には圧縮コイルスプリング）により、後方に付勢されている。
【００２９】
前記軸筒７は、先細状の円筒体からなる前軸７１と、該前軸７１の後端部と螺合または圧入により取り付けられる円筒状の後軸７２とからなる。前記前軸７１の前端には、多芯筆記具用レフィル１のボールペンチップ２が突出可能な前端孔７１ａが軸方向に貫設される。前記前軸７１及び後軸７２は、合成樹脂（例えば、ポリカーボネイト等）の射出成形により得られる。
【００３０】
前記後軸７２の後部の側壁には、複数本（例えば２本）の前後方向に延びる細長状の窓孔７２ａが、径方向に貫設される。前記後軸７２の後端部には、軸方向に貫通し且つ径方向外方に開口する開口部７２ｂが形成される。前記開口部７２ｂは、後軸７２の後端（即ち軸筒７の後端）において窓孔７２ａと連通され、それにより、窓孔７２ａ後端が後方に切り欠かれ、後方に開口されている。一方、前記窓孔７２ａの前端は常時閉鎖されている。前記各々の窓孔７２ａから径方向外方に各々の操作体６の操作部６１が突出される。
【００３１】
また、前記後軸７２の窓孔７２ａの相互間の側壁内面には、前後方向に延びるリブよりなる係止壁部が形成され、前記係止壁部に、ペン先が突出した際の多芯筆記具用レフィル１の操作体６の後端が係止される。
【００３２】
前記後軸７２の窓孔７２ａの相互間の側壁外面には、クリップ７２ｃが設けられる。
【００３３】
前記後軸７２の後端部には、前記開口部７２ｂを開閉自在にする蓋部８が回動自在に設けられる。前記蓋部８の一端部は、クリップ７２ｃの基部に、ヒンジ部８２により回動自在に接続される。前記蓋部８の前面には、当接壁部８１が形成される。前記当接壁部８１に、没入状態の多芯筆記具用レフィル１の後端に連結された各々の操作体６の後端が、当接される。前記蓋部８の他端部の前面には、係合部８３が設けられる。後軸７２の後端には、前記係合部８３と係合可能な被係合部７２ｄが設けられる。
【００３４】
多芯筆記具用レフィル１のペン先が没入状態のとき、そのレフィル１の後端に有する操作体６の後端部は、蓋部８の前面に形成された当接壁部８１に当接される。一方、多芯筆記具用レフィル１のペン先が突出状態のとき、そのレフィル１の後端に有する操作体６の後端部は、軸筒７の内壁に形成された係止壁部に係止される。
【００３５】
ペン先没入状態にある多芯筆記具用レフィル１の後端に有する操作体６の前側突出部６２は、その操作体６の操作部６１を前方にスライド操作した際、先に突出状態にある他の多芯筆記具用レフィル１の後端に連結された操作体６の後側突出部６３と当接され、他の多芯筆記具用レフィル１のペン先突出状態が解除される。
【００３６】
（弾発体支持部）
軸筒７の内壁（即ち後軸７２の内壁）には、円筒状の弾発体支持部１０が設けられる。前記弾発体支持部１０は、多芯筆記具用レフィル１のインキ収容管５が挿通される複数（例えば２個）の内孔１０ａが軸方向に貫設されている。前記弾発体支持部１０の後面と、各々の操作体６の鍔部６５の前面との間には、弾発体９が配置される。前記各々の弾発体９の内部に多芯筆記具用レフィル１のインキ収容管５が遊挿されるとともに、各々の弾発体９の前端は弾発体支持部１０の後面に係止され、各々の弾発体９の後端は操作体６の鍔部６５の前面に係止される。
【００３７】
（レフィルの交換）
本実施の形態における多芯筆記具用レフィル１の交換について説明する。
本実施の形態の多芯筆記具用レフィル１は、各々の後端に操作体６を連結した状態で、軸筒７内から取り外し可能且つ軸筒７内に挿入可能（交換可能）である。前記多芯筆記具用レフィル１を交換する際、蓋部８が軸筒７の後端の開口部７２ｂを閉鎖した状態から、蓋部８のヒンジ部８２と反対側の操作端部を後方に押圧し、係合部８３と被係合部７２ｄとの係合を解除し、蓋部８を後方に回動させ、軸筒７の後端の開口部７２ｂを開口する。前記開口部７２ｂを開口させると、前記開口部７２ｂから各々の操作体６が、弾発体８３の後方付勢により後方外部に突出される。前記軸筒７の後端の開口部７２ｂが開口した状態で、操作体６を取り出すことにより、多芯筆記具用レフィル１を、前記開口部７２ｂを通して軸筒７内から取り出し、その後、互いに連結状態にある新たな多芯筆記具用レフィル１を、前記開口部７２ｂを通して軸筒７内に挿入する。そして、蓋部８の当接壁部８１に各々の操作体６を当接させ、各々の操作体６を前方に押圧しながら蓋部８を前方に回動させ、その後、係合部８３と被係合部７２ｄとを係合させ、開口部７２ｂを閉鎖する。これにより、多芯筆記具用レフィルの交換作業が終了する。
【図面の簡単な説明】
【００３８】
【図１】本発明の実施の形態の多芯筆記具用レフィルの正面図である。
【図２】図１の多芯筆記具用レフィルを複数本収容した多芯筆記具の全ペン先没入状態を示す縦断面図である。
【図３】図２の多芯筆記具の後端の開口部を開口させた状態を示す側面図である。
【図４】図１の多芯筆記具用レフィルの前端部を示す縦断面図である。
【図５】図４の多芯筆記具用レフィルの前端部の正面図である。
【符号の説明】
【００３９】
１  多芯筆記具用レフィル
２  ボールペンチップ（ペン先）
２１  被覆樹脂
２２  スプリング
３  ペン先保持部材
３１  取付孔
４  ペン先カバー筒
５  インキ収容管
６  操作体
６１  操作部
６２  前側突出部
６３  後側突出部
６４  嵌入部
６５  鍔部
７  軸筒
７１  前軸
７１ａ  前端孔
７２  後軸
７２ａ  窓孔
７２ｂ  開口部
７２ｃ  クリップ
７２ｄ  被係合部
８  蓋部
８１  当接壁部
８２  ヒンジ部
８３  係合部
９  弾発体
１０  弾発体支持部
１０ａ  内孔
１１  多芯筆記具
【図１】
2010064365.tif 000003
【図２】
2010064365.tif 000004
【図３】
2010064365.tif 000005
【図４】
2010064365.tif 000006
【図５】
2010064365.tif 000007